(57)【要約】【課題】スポット照明器具において、照射面の大きさを操作レバーを動かすことによって変化させる構成における部品点数及び組立工数を削減し、作業性の向上を図る。【解決手段】レンズ光軸方向に移動自在なスライド台３に搭載されたランプ及び反射鏡５と、スライド台３を移動自在に案内するガイド棒８と、光軸方向の距離を調整するためにスライド台３を移動させる操作レバー７とを備え、ガイド棒８には、螺旋状の溝８ａを設け、スライド台３には、溝８ａに係合するネジ足９を設け、溝８ａの角度を、スライド台３の光軸方向移動に抵抗負荷を与えて、スライド台３を操作レバー７の操作により設定した位置に保持可能なように設定する。【選択図】図２
2006012598.tif 000002
【特許請求の範囲】
【請求項１】
本体前面に設けられたレンズと、前記レンズの後方に位置してレンズ光軸方向に移動自在なスライド台に搭載された光源及び反射鏡と、前記スライド台を移動自在に案内するガイドと、前記光源の前記レンズに対する光軸方向の距離を調整するために前記スライド台を移動させる操作レバーと、を備えたスポット照明器具において、
前記ガイドには、螺旋状の溝を設け、
前記スライド台には、前記螺旋状の溝に係合する突起を設け、
前記螺旋状の溝の角度を、前記スライド台の光軸方向移動に抵抗負荷を与えて、スライド台を操作レバー操作により設定した位置に保持可能なように設定したことを特徴とするスポット照明器具。
【発明の詳細な説明】
【技術分野】
【０００１】
本発明は、主として舞台やスタジオで使用されるスポット照明器具に関する。
【背景技術】
【０００２】
この種のスポット照明器具は、一般的に、図５に示されるように、本体１の前面に設けた平凸レンズやフレネルレンズ２と、スライド台３上に設けられたランプ４及び反射鏡５を備え、照射面の大きさを任意に変化させるためフォーカス機能が設けられている。このフォーカス機能のために、ユーザにより操作されるフォーカスツマミ６が備えられ、このフォーカスツマミ６を回転させることによって、ランプ４及び反射鏡５が一体になって矢印Ａ方向に移動し、前方のレンズ（図示なし）に対する光軸方向距離を調整することで、ランプ４による照射面の大きさを変化させることができるようになっている。ガイド棒３には螺旋溝を設け、この螺旋溝にスライド台３から突出させた突起を嵌り込ませ、ガイド棒３を回転駆動することにより、スライド台３をスライド移動させることができるものがある（例えば、特許文献１参照）。
【０００３】
また、スライド台３を移動させる機構として、図６に示すように、操作レバー７を用いた構成もある。操作レバー７は一端が支点となり、中間部に設けた長穴にスライド台３から突出した突起３ｂを嵌合させている。この操作レバー７の操作端を動かすことによって、スライド台３を移動させることができる。
【０００４】
ここで、図６に示した操作レバー７を用いた照明器具の具体的構成を図７、図８を参照して説明する。本体ハウジング１１には、２本の平行なガイド棒８，８が設けられ、このガイド棒８，８はスライド台３を貫通し、スライド台３を移動自在に案内している。スライド台３には、ランプのソケット４ａ及び反射鏡５が設けられ、スライド台３を移動させる操作レバー７が設けられている。操作レバー７は、本体ハウジング１１側に支点７ａを有し、中間部においてスライド台３に設けたピン３ｂが操作レバー７に開けた長穴７ｂに嵌合している。操作レバー７の操作端は本体ハウジング１１に設けたスリット１２から突出している。操作レバー７の操作端を動かすと、スライド台３はガイド棒８に沿ってスライド移動する。
【０００５】
このような操作レバー７を用いた構成においては、スライド台３の移動を瞬時に行えるが、照明器具の姿勢によっては、ランプ４及び反射鏡５の自重により設置位置に保持できずに移動してしまうことがある。そうならないように、操作レバー７を２枚の板バネ１７により挟み込んで、摩擦を持たせ、設定された位置にスライド台３が保持されるようにしている。
【特許文献１】特開平１１−２５７１３号公報
【発明の開示】
【発明が解決しようとする課題】
【０００６】
しかしながら、上述したように、操作レバー７を用いた構成にあっては、設定した照射面の大きさを保持するための板バネ１７を特別に設ける必要があり、部品及び組立工数が増大する。また、上記特許文献１に示されるような照明器具においては、所望の大きさの照射面に変更するとき、スライド台の移動は、操作レバー操作ではなく、ガイド棒を回転駆動して行うものであるため、スライド台の移動に時間を要し、瞬時の操作には不向きであった。
【０００７】
本発明は、上記問題を解消するものであり、照射面の大きさを操作レバーを動かすことによって変化させる構成における部品点数及び組立工数を削減し、作業性を向上させたスポット照明器具を提供することを目的とする。
【課題を解決するための手段】
【０００８】
上記目的を達成するために本発明は、本体前面に設けられたレンズと、前記レンズの後方に位置してレンズ光軸方向に移動自在なスライド台に搭載された光源及び反射鏡と、前記スライド台を移動自在に案内するガイドと、前記光源の前記レンズに対する光軸方向の距離を調整するために前記スライド台を移動させる操作レバーと、を備えたスポット照明器具において、前記ガイドには、螺旋状の溝を設け、前記スライド台には、前記螺旋状の溝に係合する突起を設け、前記螺旋状の溝の角度を、前記スライド台の光軸方向移動に抵抗負荷を与えて、スライド台を操作レバー操作により設定した位置に保持可能なように設定したものである。
【発明の効果】
【０００９】
本発明によれば、操作レバーを動かすことによってスライド台を移動させ、照射面の大きさを変化させることができ、作業性が向上する。このとき、スライド台の突起がガイドの螺旋状の溝に係合しているので、螺旋状の溝の角度をスライド台の光軸方向移動に抵抗負荷を与えるようにしておくことで、スライド台が設定位置から不用意に移動することがなくなる。このため、従来の板バネで操作レバーを挟むような構成が不要となり、部品点数及び組立工数を削減することができる。
【発明を実施するための最良の形態】
【００１０】
以下、本発明の一実施形態に係るスポット照明器具について図面を参照して説明する。図１及び図２は、スポット照明器具の内部構成を示している。スポット照明器具は、本体ハウジング１１の前面に設けられたレンズ（図示なし）のレンズ光軸方向に移動自在なスライド台３と、このスライド台３に搭載されたランプ（光源）のソケット４ａ及び反射鏡５と、スライド台３を移動自在に案内する２本の平行なガイド棒８，８（ガイド）と、ランプのレンズに対する光軸方向の距離を調整するためにスライド台３を移動させる操作レバー７と、を備えている。ガイド棒８は、スライド台３に設けた貫通穴を貫通しており、両端部が本体ハウジング１１に回転自在に保持されている。操作レバー７には、中間部に開けた長穴７ｂにスライド台３から突出しているピン３ｂが嵌まり込んでおり、操作レバー７の操作端は、本体ハウジング１１のスリット１２を通って外部に突出している。
【００１１】
少なくとも一方の、操作レバー７の支点７ａから遠い方のガイド棒８には、螺旋状の溝８ａが切削され、スライド台３には、ネジ足９（突起）が設けられ、螺旋状の溝８ａにネジ足９が係合している。そして、螺旋状の溝８ａの角度は、スライド台３の光軸方向移動に適宜の抵抗負荷を与え得るように設定する。適宜の抵抗負荷は、スライド台３に自重がかかっても、操作レバー７の操作によりスライド台３を設定した位置に保持可能とするに必要な程度とする（詳細後述）。まお、図２に示されるように、操作レバー７の長穴７ｂとピン３ｂとの嵌合位置は、溝８ａとネジ足９との係合位置よりも、スライド台３の移動方向に直交する方向において、支点７ａに近い側にあることが、操作上、望ましい。
【００１２】
上記構成において、操作レバー７の操作端を動かすと、スライド台３は、長穴７ｂとピン３ｂとの嵌合により移動する。このとき、スライド台３のネジ足９は、ガイド棒８の螺旋状の溝８ａに係合しているので、ガイド棒８を回転させつつ、相対的に螺旋状の溝８ａ内を移動する。
【００１３】
図３は、スライド台３のネジ足９とガイド棒８との係合部構成を示す。ガイド棒８の溝８ａ，８ａのピッチｐが小さいと、スライド台３の移動方向の抵抗が大きくなるため、摩擦を持たせる部材を、従来のように操作レバーやガイド棒に別途に取付する必要がなくなる。これにより、部材及び組立工数を削減することができる。逆に、ガイド棒８に切削された溝８ａ，８ａのピッチが大きいと、スライド台３の移動方向の抵抗が小さくなる。この場合、ランプによる照射を重力に平行方向とした場合、スライド台３とスライド台３上に搭載されたソケット４ａ等の自重により、操作レバー７の操作より設定された照射面の大きさを保持することが困難となる。
【００１４】
図４（ａ）（ｂ）に、スライド台３の矢印Ａ方向に対するガイド棒８の溝８ａのピッチｐが大きい場合と小さい場合とを示す。ここに、ランプによる照射方向が重力と平行方向となる場合を示し、ｄは溝８ａの幅を、Ｗはスライド台３の自重を、Ｆ１，Ｆ２は自重によるネジ足９に作用する力を示す。同図（ａ）に示すように、ガイド棒８に切削された溝８ａのピッチｐが大きいと、ネジ足９が溝８ａに沿って進行しようとする力Ｆ１が大きくなるため、抵抗が小さい。他方、同図（ｂ）に示すように、ガイド棒８に切削された溝８ａのピッチｐが小さいと、ネジ足９が溝８ａに沿って進行しようとする力Ｆ２が小さくなり、抵抗が大きくなる。このため、操作レバー７の操作時により大きな力が必要となる。従って、ピッチｐをいくらでも小さくすれば良いわけではなく、スライド台３及び反射鏡５等のスライド台３搭載部品の自重との兼ね合いにより適宜の値が決まる。また、操作レバー７の長さを長くすることで、レバー操作性を改善することもできる。操作レバー７の長さは、伸縮するような方式で変化させることもできるし、取り外し可能な方法で変化させることもできる。
【００１５】
本発明は、上記実施形態の構成に限られることなく、発明の趣旨を変更しない範囲で種々の変形が可能である。例えば、ガイド棒８は、少なくとも溝８ａが設けられた方だけでもよい。また、溝８ａが設けられたガイド棒８を回転自在に本体ハウジング１１に保持するかわりに、ねじ足９をガイド棒８の溝８ａに螺合したナット状のものとし、スライド台３に対してガイド棒８の軸回りに回転可能に取付け、ガイド棒８を本体ハウジング１１に固定してもよい。
【図面の簡単な説明】
【００１６】
【図１】本発明の一実施形態に係るスポット照明器具の内部構成を示す斜視図。
【図２】同照明器具の内部構成を示す平面図。
【図３】スライド台のネジ足とガイド棒との係合部構成を示す正面図。
【図４】（ａ）（ｂ）はスライド台のガイド棒の溝のピッチが大きい場合と小さい場合とを示す図。
【図５】従来のスポット照明器具の横断面図。
【図６】従来のスポット照明器具の縦断面図。
【図７】図６のスポット照明器具の斜視図。
【図８】図６のスポット照明器具の平面図。
【符号の説明】
【００１７】
３  スライド台
４ａ  ランプ（光源）のソケット
５  反射鏡
７  操作レバー
８  ガイド棒（ガイド）
８ａ  螺旋状の溝
９  ネジ足（突起）
１１  本体ハウジング
【図１】
2006012598.tif 000003
【図２】
2006012598.tif 000004
【図３】
2006012598.tif 000005
【図４】
2006012598.tif 000006
【図５】
2006012598.tif 000007
【図６】
2006012598.tif 000008
【図７】
2006012598.tif 000009
【図８】
2006012598.tif 000010